(57)【要約】【課題】アンテナの種別を確認するためにユーザの設定が必要である。また、スマートアンテナが接続されていない場合でも、そのための電源が供給される。【解決手段】スマートアンテナ用の電源を設け、それが接続されているかどうかで、スマートアンテナが接続されているかどうかを判断する。また、スマートアンテナが接続されていないと判断した場合には、スマートアンテナの制御のみに関係する部分に電源を供給しないことで、省電力を実現する。【選択図】図２
2009049918.tif 000002
【特許請求の範囲】
【請求項１】
可変指向性アンテナと指向性アンテナとに接続可能な接続手段と、
上記接続手段に接続されて、放送波の受信処理を行うチューナと、
上記可変指向性アンテナに対する給電と指向性制御を行う制御ユニットと、を備える放送受信装置において、
この放送受信装置に必要な電源を供給する第１の受電端子と、
上記可変指向性アンテナに必要な電源を供給する第２の受電端子と、
この第２の受電端子に電源が供給されているか否かを判断する判断手段と、
この判断手段で上記第２の受電端子に電源が供給されている際に、上記制御ユニットを駆動させて可変指向性アンテナへの制御を行わしめる駆動制御手段とを備える放送受信装置。
【請求項２】
上記第１の受電端子と上記第２の受電端子の２つへ個別に電源を供給可能な商用電源アダプタを備えることを特徴とする請求項１に記載の放送受信装置。
【請求項３】
上記第１の電源供給手段と上記第２の電源供給手段のそれぞれに専用の商用電源アダプタを備えることを特徴とする請求項１に記載の放送受信装置。
【請求項４】
上記可変指向性アンテナは、１６方向の指向性を有しつつ、可動部を有しないことを特徴とする請求項１〜請求項３のいずれかに記載の放送受信装置。
【請求項５】
上記可変指向性アンテナは、１６方向の指向性を有しつつ、可動部を有することを特徴とする請求項１〜請求項３のいずれかに記載の放送受信装置。
【請求項６】
上記判断手段は、ＣＰＵが上記第２の受電端子への電源供給の有無を判断することを特徴とする請求項１〜請求項５のいずれかに記載の放送受信装置。
【請求項７】
上記ＣＰＵが可変指向性アンテナ内のアンプへの通電を制御することを特徴とする請求項１〜請求項６のいずれかに記載の放送受信装置。
【請求項８】
上記可変指向性アンテナが、１６方向の指向性を有しつつ、可動部を有するスマートアンテナであり、
上記判断手段は、ＣＰＵが上記第２の受電端子への電源供給の有無を判断し、
上記第２の電源端子は、上記ＣＰＵの制御に基づき、上記チューナを通して上記可変指向性アンテナ内のアンプへの通電を供給し、
上記第１の電源端子と上記第２の電源端子へ、一つの商用電源から、必要な電源を分圧して２つの電源端子に個別に電源を供給可能なＡＣ−ＤＣアダプタを備えることを特徴とする請求項１に記載の放送受信装置。
【発明の詳細な説明】
【技術分野】
【０００１】
この発明は、可変指向性アンテナと指向性アンテナとに接続可能な放送受信装置に関する。
【背景技術】
【０００２】
従来、一方向からの電波しか受信できない指向性アンテナの他に、様々な方向からの電波を受信するための可変指向性アンテナを接続することが可能な放送受信装置が知られている。また、この可変指向性アンテナを用いて、放送波を受信するための種々の技術が開示されてきた。
【０００３】
例えば、特許文献１には、可変指向性アンテナを用いた放送受信装置で、可変指向性アンテナが確実に接続され、安全性を高めるための技術が開示されている。
また、特許文献２には、短時間で最適な受信方向を検出可能な、スマートアンテナ（可変指向性アンテナ）の設定する技術が開示されている。
また、特許文献３には、可変指向性アンテナで、アナログ放送を受信する際にゴーストの影響を受けずに放送を受信する技術が開示されている。
【特許文献１】特開２００６−２１７２３０号公報
【特許文献２】特開２００５−３５４６３２号公報
【特許文献３】特開２００５−３１８１４０号公報
【発明の開示】
【発明が解決しようとする課題】
【０００４】
従来、可変指向性アンテナと指向性アンテナの両方が接続可能な場合には、どちらに接続されているかはユーザがその都度設定する必要があった。また、可変指向性アンテナには、内蔵のアンプなどに電源の供給が必要であり、可変指向性アンテナが接続されていない際にも、そのための電源が供給されることがある。
【０００５】
上記特許文献１には、可変指向性アンテナの接続確認をする技術は開示されているが、省電力に関する技術は開示されていない。
また、上記特許文献２及び上記特許文献３には、可変指向性アンテナの接続確認に関する技術や省電力に関する技術は開示されていない。
【０００６】
この発明は、こうした実情に鑑みてなされたものであり、ユーザの設定を得ずに可変指向性アンテナと指向性アンテナのいずれが接続されているかを確認し、可変指向性アンテナが接続されていない場合にはそのための電力を省電する放送受信装置の提供を目的とする。 
【課題を解決するための手段】
【０００７】
上記目的を達成するために、主たる発明の放送受信装置では、可変指向性アンテナと指向性アンテナとに接続可能な接続手段と、上記接続手段に接続されて、放送波の受信処理を行うチューナと、上記可変指向性アンテナに対する給電と指向性制御を行う制御ユニットと、を備える放送受信装置において、この放送受信装置に必要な電源を供給する第１の受電端子と、上記可変指向性アンテナに必要な電源を供給する第２の受電端子と、この第２の受電端子に電源が供給されているか否かを判断する判断手段と、この判断手段で上記第２の受電端子に電源が供給されている際に、上記制御ユニットを駆動させて可変指向性アンテナへの制御を行わしめる駆動制御手段とを備える構成としてある。 
本発明の他の特徴については、本明細書及び添付図面の記載により明らかにする。 
【発明を実施するための最良の形態】
【０００８】
本明細書及び添付図面の記載により、少なくとも、以下の事項が明らかとなる。 
【０００９】
上記主たる発明の構成によれば、可変指向性アンテナに必要な電源が第２の受電端子が接続され、供給される場合には、可変指向性アンテナが接続されているものと判断し、可変指向性アンテナへの制御を行なうこととなる。
【００１０】
このように構成すると、可変指向性アンテナが接続されているかどうかをユーザの設定を経ずに判断することができ、また、可変指向性アンテナが接続されていない場合には、そのための電力を省電することができる。
【００１１】
上記放送受信装置の一例として、上記第１の受電端子と上記第２の受電端子の２つへ個別に電源を供給可能な商用電源アダプタを備える構成とすることができる。
このように構成すると、１つの商用電源から必要な電源をとることができる。 
【００１２】
上記放送受信装置の一例として、上記第１の電源供給手段と上記第２の電源供給手段のそれぞれに専用の商用電源アダプタを備える構成とすることができる。
このように構成すると、それぞれ必要な電源を個別に得ることができる。
【００１３】
上記可変指向性アンテナの一例として、１６方向の指向性を有しつつ、可動部を有しない構成とすることができる。
このように構成すると、アメリカなどで一般的な可変指向性アンテナの規格に対応することができる。
【００１４】
上記可変指向性アンテナの一例として、１６方向の指向性を有しつつ、可動部を有する構成とすることができる。
このように構成すると、アメリカなどで一般的な可変指向性アンテナの規格に対応することができる。また、可動部を有することで、アンテナの受信範囲を広げることができる。
【００１５】
上記判断手段の一例として、ＣＰＵが上記第２の受電端子への電源供給の有無を判断する構成とすることができる。
このように構成すると、放送受信装置に備えられているＣＰＵが、電源供給の有無を判断することができる。
【００１６】
上記放送受信装置の一例として、ＣＰＵが可変指向性アンテナ内のアンプへの通電を制御する構成とすることができる。
このように構成すると、放送受信装置に備えられているＣＰＵが、可変指向性アンテナへの電源供給を制御することができる。
【００１７】
また、更に具体的な構成として、上記可変指向性アンテナが、１６方向の指向性を有しつつ、可動部を有するスマートアンテナであり、上記判断手段は、ＣＰＵが上記第２の受電端子への電源供給の有無を判断し、上記第２の電源端子は、上記ＣＰＵの制御に基づき、上記チューナを通して上記可変指向性アンテナ内のアンプへの通電を供給し、上記第１の電源端子と上記第２の電源端子へ、一つの商用電源から、必要な電源を分圧して２つの電源端子に個別に電源を供給可能なＡＣ−ＤＣアダプタを備える構成としても良い。 
更に具体的に構成された上記発明では、上述した各構成と同様の効果を奏することはいうまでもない。 
【００１８】
以下、添付図面にもとづいて、本発明を米国用のＥＩＡ９０９規格に準拠したデジタル／アナログ受信機（以下、「ＳＴＢ」（Ｓｅｔ  Ｔｏｐ  Ｂｏｘ）と略す。）において具現化した実施例について説明する。 
なお、本実施形態では、可変指向性アンテナとしてスマートアンテナを用いることとする。しかし、本発明における可変指向性アンテナは、これに限定されず、指向性を切り換えることが可能なアンテナであれば、他のアンテナを用いることができる。また、本実施形態において、指向性アンテナとして八木アンテナを用いることとする。しかし、本発明における指向性アンテナは、これに限定されず、受信感度に異方性を有する指向性アンテナであれば、他のアンテナを用いることができる。
【００１９】
図１は、ＳＴＢ１００の概略構成図である。
同図において、ＳＴＢ１００には、アンテナで受信した信号を受信するチューナ３１と、チューナ３１で受信した放送信号をデコードするデコーダ３２と、ＳＴＢ１００での設定内容等の表示情報を生成するＯＳＤ回路３３を備えている。また、ＳＴＢ１００は、アンテナコントローラ１１を介してスマートアンテナへの制御を行うモジューラ端子３４を備えている。さらに、ＳＴＢ１００は、ＳＴＢ１００を制御するＣＰＵ３５と、ＣＰＵ３５が実行するプログラム等の情報を記録するＲＯＭ３６と、ＣＰＵ３５の一時記憶媒体として機能するＲＡＭ３７、及びボタン等による外部からの情報を受け付ける入力部３８を備えている。第１の電源回路４０は、ＳＴＢ１００の各部に電源を供給し、第２の電源回路４１は、チューナ３１とモジューラ端子３４を介してアンテナコントローラ１１及びスマートアンテナ１０へ電源を供給する。
また、ＳＴＢ１００は、アンテナコントローラ１１を介して、スマートアンテナ１０、または八木アンテナ２０に接続されている。スマートアンテナ１０と八木アンテナ２０への接続は、どちらかに選択的に行なわれるものとし、両方のアンテナに接続されることはない。
なお、スマートアンテナとは、複数のアンテナ素子で構成され、各アンテナ素子を適当な振幅及び位相に励振することで指向性を切り換えることができるアンテナである。また、本実施形態におけるスマートアンテナ１０は、ＳＴＢ１００と同様に、ＥＩＡ９０９規格に準拠するものとする。
【００２０】
ＳＴＢ１００は、信号線６１を介して、アンテナコントローラ１１のモジューラ端子と、モジューラ端子３４で接続されている。ＳＴＢ１００は、信号線６１を介して、アンテナコントローラ１１及びスマートアンテナ１０への電源を供給する。また、指向性を切り替えるための信号等の信号を適宜送信する。スマートアンテナ１０は、ＳＴＢ１００から送信された信号を基に、各アンテナ素子の制御を行い、指向性を変化させる。
【００２１】
アンテナコントローラ１１は、信号線６４を介して、ＳＴＢ１００から供給される電源及び各種の信号をスマートアンテナ１０に供給する。また、スマートアンテナ１０が受信した放送波を信号線６４を介して受け取り、チューナ３１に送る。
信号線６４は、スマートアンテナ１０のＲＦ端子とアンテナコントローラ１１のＲＦ端子とを接続させ、信号線６０は、分配器を有しており、アンテナコントローラ１１のＲＦ端子もしくは八木アンテナ２０のＲＦ端子と、ＳＴＢ１００のＲＦ端子とを接続させる。これにより、スマートアンテナ１０もしくは八木アンテナ２０のいずれかのＲＦ端子がＳＴＢ１００のＲＦ端子と接続されることになる。
【００２２】
チューナ３１には、デジタル復調器が内蔵されている。当該デジタル復調器は、チューナ３１で得られた放送信号を、映像および音声の信号であるＭＰＥＧ信号に復調し、当該ＭＰＥＧ信号をデコーダ３２へ出力する。ここで、デジタルテレビ放送信号は、リード・ソロモン符号および畳み込み符号で符号化されて送信される。そのため、上記のデジタル復調器は、誤り訂正ができる。この誤り訂正の処理過程において、デジタル復調器は、受信した放送信号の受信データ誤り率を演算し、その受信データ誤り率をＣＰＵ３５へ出力する。このとき、デジタル復調器は、受信した放送信号に含まれる所定のデータ数毎に誤り訂正を行なうので、受信開始から１フレーム（１／３０秒）以内で受信データ誤り率の演算ができる。ＣＰＵ３５は、受信データ誤り率によって、放送信号の信号良否を判断することができる。
【００２３】
デジタルテレビ放送には、日本のＩＳＤＢ−Ｔ方式の他に、米国のＡＴＳＣ方式およびヨーロッパのＤＶＢ−Ｔがある。いずれの方式においても、放送信号は符号化されて送信されるため、誤り訂正が可能であり、その処理過程において受信データ誤り率が演算できる。したがって、本実施の形態におけるデジタル復調器は、上述のいずれの方式を用いてもよい。
【００２４】
また、チューナ３１には、アナログ復調器も内蔵されている。当該アナログ復調器は、チューナ３１において得られた放送信号を、映像信号および音声信号へ復調する。そして、アナログ復調器で復調された信号は、デコーダ３２で処理されることなく、ＯＳＤ回路３３に送られる。
【００２５】
アナログテレビ放送信号には、走査線の水平走査および垂直走査を制御するために、水平同期信号および垂直同期信号が含まれている。そして、上記のアナログ復調器は、映像信号の復調を行なうために、上述の水平同期信号および垂直同期信号を捕捉する必要がある。なお、水平同期信号は、垂直同期信号に対して十分に周波数が高い。そのため、水平同期信号は、垂直同期信号に比較して、ノイズ等の影響を受けやすい。つまり、水平同期信号を捕捉できたか否かで受信状態を判断することができる。
【００２６】
アナログテレビ放送は、日本や米国等のＮＴＳＣ方式の他に、ドイツやイギリス等のＰＡＬ方式およびフランス等のＳＥＣＡＭ方式があるが、いずれの方式においても放送信号に水平同期信号が含まれているため、水平同期信号の捕捉の可否により受信状態を判断できる。本実施の形態のアナログ復調器は、いずれの方式に対しても適用できる。
【００２７】
なお、上述したようにチューナ３１で受信した放送信号は、デコーダ３２でデコードされ、ＯＳＤ回路３３で生成されたＯＳＤ信号とともに、受像機７０に送信される。受像機７０は、チューナ３１で受信した放送信号に基づき、画像及び音声を出力する。
【００２８】
図２は、ＣＰＵ３５で実施されるスマートアンテナ１０の接続を確認するためのフローチャートである。
【００２９】
ＡＣアダプタ５１のプラグが商用ＡＣに接続され、信号線６２を介してＳＴＢ１００に電源が供給されると、ＣＰＵ３５は、ステップＳ１０１にて、入力部３８の操作により電源がＯＮされる動作がなされたか否かを判断する。電源がＯＮにされたと判断すると、ステップＳ１０２に進む。
【００３０】
ステップＳ１０２では、ＣＰＵ３５は、第１の電源回路４０で生成された電源を、チューナ３１等電源を必要とする各部と受像機７０への電源の供給を開始する。
【００３１】
次に、ステップＳ１０３で、ＣＰＵ３５は、チューナ３１、デコーダ３２、および、ＯＳＤ回路３３、ならびに、受像機７０に対して、ＲＯＭ３６に記憶された設定内容等に基づいて初期化を開始する。
【００３２】
次に、ステップＳ１０４で、ＣＰＵ３５は、第２の電源回路４１に第２のＡＣアダプタ５２から信号線６３を介して電源が供給されているか否かを判断する。この第２の電源回路４１は、スマートアンテナ１０に必要な電源を供給するもので、スマートアンテナ１０を接続して使用する場合には、第２のＡＣアダプタ５２を接続して、電源を供給する必要がある。このため、スマートアンテナ１０を使用するユーザは、必然的に第２のＡＣアダプタ５２を接続しているとみなすことができる。
【００３３】
ステップＳ１０４で、第２の電源回路への電源が供給されていると判断すると、ステップＳ１０５で、ＣＰＵ３５は、モジューラ端子３４を介して、スマートアンテナ１０への電源の供給を開始する。
【００３４】
次に、ステップＳ１０６で、ＣＰＵ３５は、スマートアンテナ１０の接続確認のための処理を行なう。ＣＰＵ３５は、スマートアンテナ１０に対して、モジューラ端子３４を介して、特定のパルス信号を送信する。そして、ＣＰＵ３５は、所定の時間内に、チューナ３１において、スマートアンテナ１０からの、上記した特定のパルス信号に返答するような信号が受信されたか否かを判断し、そのような信号が受信されたと判断すると、スマートアンテナ１０が正常に接続されていると判断する。なお、所定の時間とは、スマートアンテナ１０が、上記のような特定のパルス信号に対する返答に一般的に要する時間、または、当該時間にある程度の余裕を付加された時間であり、装置ごとに適宜決定される時間とすることができる。
【００３５】
なお、接続確認の方法はこの方法に限られるものではなく、他の接続確認の方法、例えば受信が確認できているチャンネルへの方向を合わせ受信強度が所定の値以上変化するかどうかを判断するなどの方法で接続確認を行なっても良いし、これらの方法を組み合わせる形で行なっても良い。
【００３６】
そして、ＣＰＵ３５は、ステップＳ１０７で、ステップＳ１０６で実行したスマートアンテナ１０の接続確認の結果、接続にエラーがあったか否かを判断する。エラーはなかった、つまり、正常な接続が確認されたと判断するとステップＳ１０８へ、処理を進める。
【００３７】
ステップＳ１０８では、ＣＰＵ３５は、ユーザの入力部３８に対する操作等に応じて、適宜、スマートアンテナ１０の受信した放送信号に応じた映像や音声を受像機７０において出力するための受像処理を行う。この処理は、入力部３８に対する操作等によりＳＴＢ１００の電源がＯＦＦされるときまで行なう。
【００３８】
一方、ステップＳ１０７で、接続にエラーがあったと判断すると、ステップＳ１０９では、ＣＰＵ３５は、スマートアンテナ１０への電源の供給のための動作を停止する。そして、ステップＳ１１０で、ＣＰＵ３５は、ＯＳＤ回路３３で、スマートアンテナ１０が正常に接続されていない旨のエラーメッセージを生成させ、受像機７０に表示させて処理を終了する。
【００３９】
次に、ステップＳ１０４で、第２の電源回路に電源が供給されていないと判断された場合について説明する。ステップＳ１０４にて、第２の電源回路に電源が供給されていないと判断されると、ステップＳ１１１で、スマートアンテナ１０には接続されていないと判断し、スマートアンテナ１０への電源が供給されないのはもちろんのこと、モジュール端子等スマートアンテナ１０に関係する部分への電源の供給を停止し、電力を節約するようにＣＰＵ３５は処理を行なう。
このように、本実施形態では、スマートアンテナ１０への給電の停止だけによる省電だけでなく、本ＳＴＢ１００内の対応回路の動作も停止させて、更なる省電を実現することができる。
【００４０】
そして、ステップＳ１１２では、スマートアンテナ１０に接続されていないため、八木アンテナ２０に接続されているものと判断し、ＣＰＵ３５は、ユーザの入力部３８に対する操作等に応じて、適宜、八木アンテナ２０の受信した放送信号に応じた映像や音声を受像機７０において出力するための受像処理を行なう。
【００４１】
次に、図２のフローチャートに基づき操作例を説明する。
まず、スマートアンテナ１０が正常に接続されており、第２の電源回路４１に電源が供給されている場合について説明する。
ユーザはスマートアンテナ１０をＳＴＢ１００に接続し、第２のＡＣアダプタ５２から第２の電源回路４１に電源が供給されるように、第２のＡＣアダプタ５２のプラグをコンセントに挿入し、第２のＡＣアダプタ５２と第２の電源回路４１の受電端子との接続を行う。また、ＳＴＢ１００の電源が供給されるように、第１のＡＣアダプタ５１のプラグをコンセントに挿入し、第１のＡＣアダプタ５１と第１の電源回路４０の受電端子との接続を行う。
【００４２】
ユーザが入力部３８を操作し、ＳＴＢ１００の電源をＯＮすると、ＣＰＵ３５はステップＳ１０１で電源がＯＮされたと判断し、ステップＳ１０２でＳＴＢ１００の各部と受像機７０に電源を供給し、ステップＳ１０３でＳＴＢ１００の各部と受像機７０の初期化を行なう。そして、第２のＡＣアダプタ５２が第２の電源回路４１の受電端子と接続され、第２のＡＣアダプタ５２のコンセントが差し込まれていることから、ステップＳ１０４で、ＣＰＵ３５は第２の電源回路４１に電源が供給されているものと判断する。そして、ステップＳ１０５でスマートアンテナ１０に電源を供給し、ステップＳ１０６でスマートアンテナ１０の接続確認を行なう。
【００４３】
スマートアンテナ１０は正常に接続されていることから、ステップＳ１０７で、接続エラーがないと判断し、ステップＳ１０８で、ユーザの入力部３８に対する操作等に応じて、適宜、スマートアンテナ１０の受信した放送信号に応じた映像や音声を受像機７０において出力する。ユーザが入力部３８に対して電源オフの操作を行なうとこれらの処理を終了する。
【００４４】
次に、スマートアンテナ１０が正常に接続されておらず、第２の電源回路４１に電源が供給されている場合について説明する。
この場合、ステップＳ１０６までは上述した操作例と同じであるため省略し、ステップＳ１０７からの操作例について説明する。
【００４５】
スマートアンテナ１０は正常に接続されていないことから、ステップＳ１０７で、接続エラーがあると判断し、ステップＳ１０９でスマートアンテナ１０等への電源供給を停止する。そして、ＯＳＤ回路３３で、スマートアンテナ１０が接続されていない旨のメッセージを生成し、受像機７０に表示する。
【００４６】
最後に、八木アンテナ２０が接続されており、第２の電源回路４１に電源が供給されていない場合について説明する。
この場合は、ＳＴＢ１００の電源が供給されるように、第１のＡＣアダプタ５１のプラグをコンセントにいれ、第１のＡＣアダプタ５１と第１の電源回路４０の受電端子との接続を行う。また、第２のＡＣアダプタ５２と第２の電源回路４１の受電端子が接続されていないし、第２のＡＣアダプタのプラグはコンセントに差し込まれていない。
【００４７】
ユーザが入力部３８を操作し、ＳＴＢ１００の電源をＯＮすると、ＣＰＵ３５はステップＳ１０１で電源がＯＮされたと判断し、ステップＳ１０２でＳＴＢ１００の各部と受像機７０に電源を供給し、ステップＳ１０３でＳＴＢ１００の各部と受像機７０の初期化を行なう。
【００４８】
そして、第２のＡＣアダプタ５２と第２の電源回路４１の受電端子が接続されていないか、第２のＡＣアダプタのコンセントが差し込まれていないため、ステップＳ１０４で、第２の電源回路に電源が供給されていないと判断し、ステップＳ１１１で、スマートアンテナ１０及びモジューラ端子３４等への電源の供給を停止する。そして、ステップＳ１１２で、ユーザの入力部３８に対する操作等に応じて、適宜、八木アンテナ２０の受信した放送信号に応じた映像や音声を受像機７０において出力する。ユーザが入力部３８に対して電源オフの操作を行なうとこれらの処理を終了する。
【００４９】
図３は、ＡＣアダプタ５０の概略図である。
ＡＣアダプタ５０は、商用交流電流をＳＴＢ１００用の直流電流に変換する第１のＡＣアダプタ５１と、  商用交流電流をスマートアンテナ１０用の直流電流に変換する第２のＡＣアダプタ５２と、第１の電源回路４０へ電源を供給する受電端子に接続される接続端子５３と、第２の電源回路４１へ電源を供給する受電端子に接続される接続端子５４と、プラグ５５を備えている。
【００５０】
プラグ５５から商用電流が供給されると、第１のＡＣアダプタ５１は、ＥＩＡ９０９規格に合わせ６Ｖの直流電流を生成し、第２のＡＣアダプタ５２は、ＥＩＡ９０９規格に合わせ１２Ｖの直流電流を生成する。第２のＡＣアダプタ５２にから電源を供給される接続端子５４は、スマートアンテナ１０をＳＴＢ１００に接続している場合のみ、ＳＴＢ１００の第２の電源回路４１へ電源を供給する受電端子に接続される。
【００５１】
なお、図３では、１つのプラグから２つのＡＣアダプタに給電し、それぞれ必要な直流電流を生成するようにしたが、図１に示すように第１の電源回路４０と第２の電源回路４１のそれぞれの受電端子ごとに、ＡＣアダプタとプラグを用いるようにしても良い。
【００５２】
また、以上説明した本実施形態では、アンテナコントローラ１１が単体で構成されるように記載されたが、本発明に従った放送受信装置は限定されたものを意図しない。ＳＴＢ１００とアンテナコントローラ１１とが一体的に構成されても良いし、アンテナコントローラ１１とスマートアンテナ１０とは、一体的に構成されていても良い。
【００５３】
このように、本実施形態によれば、スマートアンテナ１０に接続されているか、八木アンテナ２０に接続されているかの判断をユーザの設定を待たず、自動的に行なうことができる。また、スマートアンテナ１０に接続されていない場合には、スマートアンテナ１０及びそれに関係する部分への電源供給を停止して省電力にすることができる。
【００５４】
なお、本発明は上記実施例に限られるものでないことは言うまでもない。当業者であれば言うまでもないことであるが、 
・上記実施例の中で開示した相互に置換可能な部材および構成等を適宜その組み合わせを変更して適用すること 
・上記実施例の中で開示されていないが、公知技術であって上記実施例の中で開示した部材および構成等と相互に置換可能な部材および構成等を適宜置換し、またその組み合わせを変更して適用すること 
・上記実施例の中で開示されていないが、公知技術等に基づいて当業者が上記実施例の中で開示した部材および構成等の代用として想定し得る部材および構成等と適宜置換し、またその組み合わせを変更して適用すること 
は本発明の一実施例として開示されるものである。 
【図面の簡単な説明】
【００５５】
【図１】本実施例のＳＴＢの概略構成図である。
【図２】本実施例のＳＴＢのアンテナ接続確認のフローチャートである。
【図３】本実施例のＡＣアダプタの概略図である。
【符号の説明】
【００５６】
１０…スマートアンテナ、１１…アンテナコントローラ、２０…八木アンテナ、３１…チューナ、３２…デコーダ、３３…ＯＳＤ回路、３４…モジューラ端子、３５…ＣＰＵ、３６…ＲＯＭ、３７…ＲＡＭ、３８…入力部、４０…第１の電源回路、４１…第２の電源回路、５１…第１のＡＣアダプタ、５２…第２のＡＣアダプタ、７０…受像機、１００…ＳＴＢ
【図１】
2009049918.tif 000003
【図２】
2009049918.tif 000004
【図３】
2009049918.tif 000005
【手続補正書】
【提出日】平成20年4月15日(2008.4.15)
【手続補正１】
【補正対象書類名】明細書
【補正対象項目名】００５０
【補正方法】変更
【補正の内容】
【００５０】
プラグ５５から商用電流が供給されると、第１のＡＣアダプタ５１は、ＥＩＡ９０９規格に合わせ６Ｖの直流電流を生成し、第２のＡＣアダプタ５２は、ＥＩＡ９０９規格に合わせ１２Ｖの直流電流を生成する。第２のＡＣアダプタ５２から電源を供給される接続端子５４は、スマートアンテナ１０をＳＴＢ１００に接続している場合のみ、ＳＴＢ１００の第２の電源回路４１へ電源を供給する受電端子に接続される。